(57)【要約】【課題】隅部の異物質も円滑に吸い込むことができるように構成される真空掃除機用吸込みノズルを提供すること。【解決手段】真空掃除機の延長管の下端部に設けられ、異物質を含む空気を吸い込む吸込みノズルにおいて、延長管１０と連通し、下面に設けられた吸込み孔２４ｅから流入した空気を延長管１０に導く内部通路３２ｅを有する本体２０と、該本体の両側面から後方に回動自在に連結され、吸い込まれる空気を吸込み孔と連通しながら延長管に導くために、底面に横方向に設けられた吸込み通路３２ａを有する一対の側方吸込みノズル部３２、３４と、該側方吸込みノズル３２，３４が本体の前端面と直線状をなすように、後方から側方吸込みノズル部を弾性的に支持する弾性支持手段とを備える。【選択図】　　　図３
2004008790.tif 000002
【特許請求の範囲】
【請求項１】
真空掃除機の延長管の下端部に設けられ、異物質を含む空気を吸い込む真空掃除機の吸込みノズルにおいて、
前記延長管と連通し、下方面に設けられた吸込み孔（２４ｅ）から流入した空気を延長管に導く内部通路（３２ｅ）を有する本体（２０）と、
前記本体（２０）の両側面から後方に回動自在に取り付けられ、吸い込まれる空気を前記吸込み孔と連通しながら延長管に導くために、底面に横方向に設けられた吸込み通路（３２ａ）を有する一対の側方吸込みノズル部（３２、３４）と、
前記側方吸込みノズル部（３２、３４）が本体（２０）の前端面と直線状をなすように、後方から側方吸込みノズル部（３２、３４）を弾性的に支持する弾性支持手段とを備えることを特徴とする真空掃除機用吸込みノズル。
【請求項２】
前記本体（２０）は、吸込み孔（２４ｅ）が設けられているベース（２４）と、該ベース（２４）の上方を覆い内部から前記延長管への通路を形成するカバー（２２）とからなることを特徴とする請求項１に記載の真空掃除機用吸込みノズル。
【請求項３】
前記側方吸込みノズル部（３２、３４）の内側には、中心に孔（３２ｃ）を有する結合部（３２ｂ）が設けられ、前記結合部と合致する位置のベース（２４）上にも孔（２４ａ）が設けられ、カバー（２２）の下方には、前記各孔を回動自在に連結するヒンジ突起（２２ａ）が設けられ、前記ヒンジ突起に前記側方吸込みノズル部（３２、３４）が回動自在に結合されることを特徴とする請求項２に記載の真空掃除機用吸込みノズル。
【請求項４】
吸込みノズルの前面が直線状をなす状態で、前記本体（２０）の外側面（２４ｄ）は、側方吸込みノズル部（３２、３４）の内側面（３２ｇ）と密着するような対応形状に設けられることを特徴とする請求項１〜３の何れか１項に真空掃除機用吸込みノズル。
【請求項５】
前記弾性支持手段は、ベースの上面に一定の間隔を置いて形成された一対のボス（２６ａ、２６ｂ）と、
前記各ボス（２６ａ、２６ｂ）を取り囲む本体（２７ｂ）と、前記本体（２７ｂ）から前方向きに延長形成された一対の端部（２７ａ）とを有する一対のスプリング（２７）と、
前記一対の端部間に介在され、その間隔を保持し、ベース（２４）の上面に形成された一対の間隔保持突起（２８）と、
前記側方吸込みノズル部（３２、３４）の内側（３２ｇ）に設けられる結合部（３２ｂ）の下方から突出する突起（３２ｄ）とを備え、
前記側方吸込みノズル部（３２、３４）が後方に回動すると、前記スプリング（２７）の端部の弾性復元力により、両側の側方吸込みノズル部（３２、３４）が、本体（２０）と並んで直線状に配列されるよう側方吸込みノズル部（３２、３４）を弾性支持していることを特徴とする請求項１に記載の真空掃除機用吸込みノズル。
【請求項６】
前記弾性支持手段は、
ベース（１２４）の上面で一定の間隔を置いて形成された一つのボス（１２６）と、
前記ボス（１２６）を取り囲む本体（１２７ｂ）と、該本体（１２７ｂ）から前方に延設され、お互いに近接する弾性復元力のある一対の端部（１２７ａ）を有するスプリング（１２７）と、
前記一対の端部（１２７ａ）間に介在され、端部（１２７ａ）間の間隔を保持し、ベース（１２４）の上面に設けられた間隔保持突起（１２８）と、
前記一対の側方吸込みノズル部（１３２、１３４）の内側に設けられた結合部（１３２ｂ、１３４ｂ）の下方からそれぞれ突出し、前記端部（１２７ａ）間に位置する突起（１３２ｄ、１３４ｄ）とを備え、
前記側方吸込みノズル部（１３２、１３４）が後方に回動すると、前記スプリング端部（１２７ａ）の弾性復元力により、両側の側方吸込みノズル部（１３２、１３４）が本体（１２０）と並んで直線状に配列されるよう側方吸込みノズル部（１３２、１３４）を弾性支持していることを特徴とする請求項１に記載の真空掃除機用吸込みノズル。
【請求項７】
吸込みノズルの前面が直線状をなす状態で、前記本体（２０）の外側面（２４ｄ）は、側方吸込みノズル部（３２、３４）の内側面（３２ｇ）を取り付けられるように対応形状となっていることを特徴とする請求項１〜３の何れか１項に真空掃除機用吸込みノズル。
【請求項８】
前記一方の側方吸込みノズル部（３２）には、円弧状の結合孔（２９）が形成され、他方の側方吸込みノズル部（３４）の突起（３４ｄ）は、前記結合孔（２９）を挿通した状態で、スプリング（２７）の端部（２７ａ）間に位置することを特徴とする請求項６に記載の真空掃除機用吸込みノズル。
【請求項９】
前記本体（２０）の前端部は、隅部を有する三角形状に形成されることを特徴とする請求項１に記載の真空掃除機用吸込みノズル。
【請求項１０】
真空掃除機の延長管の下端部に設けられ、異物質を含む空気を吸い込む吸込みノズルにおいて、
前記延長管（１０）と連通し、下面に設けられた吸込み孔（２４ｅ）を通して流入される空気を延長管（１０）に導く内部通路（３２ｅ）を有する本体（２０）と、
前記本体（２０）の両側面から後方に回動自在に設けられ、下端部には内部通路と連通される横方向の吸込み通路（３２ａ）をそれぞれ有する一対の側方吸込みノズル部（３２、３４）と、
前記側方吸込みノズル部（３２、３４）の前面と、本体（２０）の前端面とが直線状をなす状態で、前方への回動を規制する保持手段と、
前記側方吸込みノズル部（３２、３４）を前方に対し弾性支持する弾性支持手段とを備えることを特徴とする真空掃除機用吸込みノズル。
【請求項１１】
前記保持手段は、前記本体（２０）の外側面（２４ｄ）と、前記側方吸込みノズル部（３２、３４）の内側面（３２ｇ）とからなり、前記外側面と前記内側面とは、本体及び側方吸込みノズル部の前端面が直線状をなす状態で、お互いに密着して前方への回動を規制することを特徴とする請求項１０に記載の真空掃除機用吸込みノズル。
【発明の詳細な説明】
【０００１】
【発明の属する技術分野】
本発明は、真空掃除機の吸込みノズルに関し、より詳細には、隅部も容易に掃除できるように、部分的な折り曲げが可能な構成にした真空掃除機用吸込みノズルに関する。
【０００２】
【従来の技術】
図１は、一般的な真空掃除機の斜視図である。図１を参照すると、従来の真空掃除機は、吸引力を発生するモータが内部に取り付けられた本体２と、該本体２と連結された吸込みホース４と、該吸込みホースと連結された延長管６と、さらに、延長管６の端部に設けられた吸込みノズル８とを備えている。
【０００３】
本体２から生じる吸引力によって、吸込みノズル８は、部屋の床などの異物質を含む空気を吸い込む。このように吸い込まれた空気は、延長管６及び吸込みホース４を介して本体２の内部に流入した後、異物質はフィルタリングされ、きれいな空気となって本体２の外部に通り抜ける。また、このように掃除が行われるとき、使用者は、延長管６の上方に設けられた把手部６ａを用いて所望の方向に吸込みノズル８を制御するようになる。
【０００４】
従来の吸込みノズル８は、図１に示すように、その前面８ａが直線形状になるように、合成樹脂材の射出成形により形成されている。このように従来の吸込みノズル８の前面８ａは直線状に変形不可能に成形されているため、部屋の隅部の掃除が難しくなるという問題がある。例えば、９０°の直角をなす一般の部屋の隅部は、上述のように、前面８ａが直線状である吸込みノズル８を用いて掃除を行うことが難しく、隅部に残存する異物質を円滑に吸い込むことができないという問題がある。
【０００５】
【発明が解決しようとする課題】
本発明は、こうした従来技術の問題に鑑みなされたものであって、隅部の異物質も円滑に吸い込むことができるように構成した真空掃除機用吸込みノズルを提供することを目的とする。
【０００６】
【課題を解決するための手段】
上記の目的を達成するため、本発明は、前記延長管と連通し下面に吸込み孔が設けられた本体と、前記本体の両側面に回動自在に取り付けられ、前記本体の吸込み孔に流入される空気を導くために、底面に横方向に設けられた吸込み通路を有する一対の側方吸込みノズル部と、前記側方吸込みノズル部が本体の前端面と直線状をなすように、後方から側方吸込みノズル部を弾性的に支持する弾性支持手段とを備えることを特徴とする真空掃除機の延長管の下端部に設けられ、異物質を含む空気を吸い込む真空掃除機の吸込みノズルを要旨とする。
【０００７】
そして、本実施形態によると、前記本体は、吸込み孔が成形されているベースと、該ベースの上方を覆いながら、内部から前記延長管向きの通路を形成するカバーとから構成されている。
【０００８】
また、前記側方吸込みノズル部の内側には、中心に嵌合孔を有する結合部が設けられ、前記結合部と合致する位置のベース上にも孔が設けられ、カバーの下方には、前記各孔を回動自在に嵌め込むヒンジ突起が形成されており、前記側方吸込みノズルが回動自在に嵌合されている。
【０００９】
さらに、本発明の他の実施形態に従う真空掃除機用吸込みノズルでは、吸込みノズルの前面が直線状をなす状態で、前記本体の外側面は、側方吸込みノズル部の内側面を取り付けるために対応形状に設けられている。
【００１０】
また、本実施形態に従う前記弾性支持手段は、ベースの上面に一定の間隔を置いて形成された一対のボスと、前記各ボスを取り囲む本体と、前記本体から前方向きに延設された一対の端部を備えた一対のスプリングと、前記一対の端部間に係止され、その間隔を維持し、ベースの上面に形成された一対の間隔保持突起と、前記側方吸込みノズル部の内側に設けられる結合部の下方から突出した突起を備え、前記側方吸込みノズル部が後方に回動すると、前記スプリング端部の弾性復元力により、両方の側方吸込みノズル部が、本体と並んで直線状に配列されるよう側方吸込みノズル部を弾性支持している。
【００１１】
そして、本発明の他の特徴によれば、ベースの上面に一定の間隔を置いて形成された一つのボスと、該ボスを取り囲む本体と、該本体から前方に延設され、お互いに近接する弾性復元力を有する一対の端部とを有するスプリングと、前記一対の端部間に介在され、端部間の間隔を保持し、ベースの上面に設けられた間隔保持突起と、前記一対の側方吸込みノズル部の内側に設けられた結合部の下方からそれぞれ突出し前記端部間に位置する突起とを備え、前記側方吸込みノズル部が後方に回動すると、前記スプリング端部の弾性復元力により、両方の側面ノズル部が本体と並んで直線状に配列されるよう側方吸込みノズル部を弾性支持している。
また、前記本体の前面は、前端部が隅部を有する三角形状に形成することが好ましい。
【００１２】
【発明の実施の形態】
以下、本発明の好ましい実施形態を、添付図面に基づいて詳しく説明する。
図２、３は、本発明による真空掃除機を示す斜視図であり、図２は通常の使用状態を示し、図３は隅部を掃除する際の使用状態がそれぞれ示されている。
【００１３】
図２、３を参照すると、本発明に係る真空掃除機用吸込みノズルは、延長管１０に連結される中心部の本体２０と、本体２０の両側から後方に一定の角度で折り曲げ可能に設けられた一対の側方吸込みノズル部３２、３４とを備えている。
【００１４】
また、側方吸込みノズル部３２、３４は、通常の使用時には、図２に示すように、前面が直線形状を保持するように構成されるが、およそ９０°の角度をなす隅部を掃除するときには、図３に示すように、側方吸込みノズル部３２、３４が本体２０を中心に後方へ折り曲げ可能に構成されており、隅部を容易に掃除できるようになる。
【００１５】
図４を参照すると、一般の部屋の床面の異物質を吸い込む場合は、側方吸込みノズル部３２、３４は、本体２０と並んで前面が直線状を成す状態（Ｉ）となっている。隅部を形成する壁体（Ｗ）に吸込みノズルが当接すると、本体２０を中心に両側面に設けられている側方吸込みノズル部３２、３４は、後方に折り曲がりながら状態（ＩＩ）を経て最終に状態（ＩＩＩ）となって、隅部の異物質を容易に吸い込み可能となる。
【００１６】
次に、本体２０及び側方吸込みノズル部３２、３４の構成について、より詳細に説明する。
図２、５を参照すると、延長管１０と連結される本体２０は、ベース２４と、該ベースの上方に取り付けられるカバーとから構成され、ベース２４とカバー２２との間には、空気が流通する通路が設けられ、該通路は、延長管１０と連通されている。側方吸込みノズル部３２、３４は、図５、６に示すように、本体２０に回動自在に取り付けられている。
【００１７】
側方吸込みノズル部３２、３４の下側面には、異物質を含む空気を吸い込むように、凹状の吸込み通路３２ａが横方向に設けられている。
以下、一対の側方吸込みノズル部３２、３４及び本体２０については、一対の側方吸込みノズル部の結合構造が相互全く同様となっているので、図５、６に示すように、一方の側方吸込みノズル３２を中心に説明する。
【００１８】
側方吸込みノズル３２の内側（本体側）には、結合部３２ｂが設けられ、該結合部３２ｂを介して本体２０に回動自在に取り付けられる。例えば、結合部３２ｂの中心に形成された孔３２ｃが、本体２０のベース２４の対応位置に形成された孔２４ａに合致するように、図７に示すように、本体２０のカバー２２の底面から下方に突出したヒンジ突起２２ａが、孔２４ａ、３２ｃに嵌入するように取り付けられる。これにより、側方吸込みノズル部３２は、本体２０に対し回動自在に取り付けられる。
【００１９】
また、側方吸込みノズル部３２の結合部３２ｂの下端部前方には、突起３２ｄが形成されており、図示の実施形態では、結合部３２ｂの後方には、下方に延設された延長部３２ｅが設けられ、該延長部３２ｅにより、実質的に突起３２ｄとの間には一定の間隔３２ｆが保持される。さらに、延長部３２ｅは、実質的に突起３２ｄと同様に結合部３２ｂの下方に一定の間隔で形成されている。
【００２０】
また、側方吸込みノズル部３２の内側面３２ｇは、図６に示すように、本体２０のベース２４の外側面２４ｄと対応形状になるように成形される。これにより、側方吸込みノズル部３２の前面が直線状をなす通常の状態においては、側方吸込みノズル部３２の内側面３２ｇとベース２４の外側面２４ｄとが相互に密着して、側方吸込みノズル部３２がそれ以上前方に回動しなくなる。
【００２１】
そして、図示のように、本体２０のベース２４の前端部２４ｂは、約９０°の角度をなす三角形状に設けられており、これにより、側方吸込みノズル部３２、３４が、図４に示すように、隅部で後方に折り曲がり、本体２０の前端部２４ｂが隅部に密着して、該隅部の異物質を吸い込むことができるようになる。
【００２２】
また、本体２０のベース２４の上面には、一対のボス２６ａ、２６ｂが上方に突出しており、これらボス２６ａ、２６ｂには、スプリング２７がそれぞれ挿設されているが、スプリング２７は、ボス２６ａ、２６ｂに挿設できるように、同様な円形状に複数回巻回された円形の本体部２７ｂと、該本体部２７ｂから前方に突出する両端部２７ａとから構成されている。
【００２３】
さらに、スプリング２７において前方への突出状態の両端部２７ａは、ベース２４から上方に突出する間隔保持突起２８により介在されており、その間で一定の間隔が保持される。すなわち、スプリング２７の両端部２７ａは、相互密着しようとする弾性復元力が作用するが、これは、間隔保持突起２８の左右側面に両端部２７ａが設けられているので、それら両端部２７ａ間には一定の間隔が保持される。
【００２４】
間隔保持突起２８により保持されるスプリング２７の両端部２７ａ間には、側方吸込みノズル部３２の結合部３２ｂから下方に突出した突起３２ｄが嵌合される。すなわち、側方吸込みノズル部３２が本体２０のベース２４に取り付けられると、突起３２ｄがスプリング２７の両端部２７ａ間に嵌合されて組み付けられる。
【００２５】
また、突起３２ｄがスプリング２７の両端部２７ａに嵌合された状態で、カバー２２をベース２４の上方に取り付けると、上述のように、側方吸込みノズル部３２、３４は、本体２０に対し回動可能な状態になる。さらに、側方吸込みノズル部３２、３４は、図６に示すように、内側面３２ｇが本体の外側面２４ｄに取り付けられるように対応形状となっており、これにより、側方吸込みノズル部３２は、それ以上前方に折り曲げられず、前面が直線状の状態（Ｉ）となる。
【００２６】
また、ベース２４の底面には、部屋の床などに存在する異物質を含む空気を吸い込むための吸込み孔２４ｅが形成されており、さらに、吸込み孔２４ｅは、側方吸込みノズル部３２、３４の底面に設けられた吸込み通路３２ａと連通するように形成される。すなわち、側方吸込みノズル部３２、３４の横方向に設けられた吸込み通路３２ａは、吸込み孔２４ｅと側面で連通するように形成することにより、側方吸込みノズル部３２、３４の吸込み通路３２ａを通して流入される空気が、吸込み孔２４ｅから吸い込まれる空気と共に、上述の延長管１０に吸い込まれる構成となっている。
【００２７】
このような構成となる本体２０のベース２４の上方両側には、一対の側方吸込みノズル部３２、３４が載置され、上述のように、この側方吸込みノズル部３２、３４の結合部３２ｂの中心に形成された孔３２ｃが、本体２０のベース２４の対応位置に形成された孔２４ａに合致するように組み付けられる。また、図７に示すように、カバー２２の底面から下方に突出するヒンジ突起２２ａが孔２４ａ、３２ｃに挿通した状態で、カバー２２をベース２４に締結するようになっている。
【００２８】
次に、以上の構成となる本発明による真空掃除機の吸入ノズルの全体動作について説明する。
図４の状態（Ｉ）は、吸込みノズルの前面が直線状をなしている状態であり、これは、一般の部屋の床などを掃除するための構成である。図４の状態（ＩＩ）及び状態（ＩＩＩ）は、吸込みノズルが壁面Ｗの隅部に接触しながら側方吸込みノズル部３２、３４が壁面Ｗにより後方に折り曲げられる状態を順次示している。
【００２９】
図６の矢印のＡ方向に側方吸込みノズル部３２が回動すると、該側方吸込みノズル部３２の結合部３２ｂの下方に突出する突起３２ｄが、スプリング２７の端部２７ａのうち、より外側に位置する端部を一層外側に向けて押付けるようになる。すなわち、図６の矢印ａに示すように、突起３２ｄがスプリング２７の外側端部２７ａを時計方向に回動させるようになり、さらに、側方吸込みノズル部３２が時計方向に後方に折り曲げられ、両方の側方吸込みノズル部３２、３４がほぼ９０°の角度をなすと、図４の状態（ＩＩＩ）のように、本体２０の前端部が壁面Ｗの隅部に完全に密着し、壁面Ｗの隅部付近の異物質をより円滑に吸い込み可能となる。
【００３０】
ここで、側方吸込みノズル部３２が後方に回動すると、側方吸込みノズル部３２の結合部３２ｂの下方に設けられた延長部３２ｅ（図５参照）がスプリング２７の内側端部に接触して、回動を規制できるようになる。すなわち、延長部３２ｅがスプリング２７の内側端部に接触したり、ベース２４から上方に突出した他の部分に接触したりすることにより、側方吸込みノズル部３２がそれ以上回動できないような構成となる。
【００３１】
このように、壁面Ｗの隅部に密着された状態で異物質を吸い込むようになり、本体２０のベース２４の吸込み孔２４ｅを通して吸い込まれた空気は、上方に取り付けられたカバー２２との間に設けられた空間を通して延長管１０に流入される。
【００３２】
そして、本発明による吸込みノズルを壁面Ｗの隅部から離すと、スプリング２７の弾性復元力により、両方の側方吸込みノズル部３２、３４は、再び、図４の状態（Ｉ）となる。すなわち、スプリング２７の外側端部２７ａは、常に元の状態に復元しようとする反時計方向の弾性力を有し、この弾性復元力は、突起３２を常に反時計方向に押圧している。これにより、側方吸込みノズル部３２と壁面Ｗとの接触関係が解除されると、上述の弾性復元力によって側方吸込みノズル部３２、３４は、前面が直線状をなす状態（Ｉ）となる。
【００３３】
以上のように、本発明によると、壁面Ｗの隅部から吸込みノズルが離隔されると、スプリング２７の弾性力により、吸込みノズルが自ら元の状態に復帰する構成となり、このような状態では、一般の部屋の床面を掃除することができる。
【００３４】
次に、図８〜図１１を参照して、本発明の第２の実施形態について説明する。本実施形態においては、一つの回転軸を中心に両側に設けられる一対の側方吸込みノズルが回動自在に構成される。
【００３５】
本発明の第２の実施形態による真空掃除機用吸込みノズルは、延長管１０に結結される本体１２０と、該本体１２０の両側から後方に一定の角度で折り曲げられるように設けられる一対の側方吸込みノズル部１３２、１３４とを備えている。
【００３６】
本実施形態においても、図８の状態（Ｉ）に示すように、一般の部屋の床上の異物質を掃除する場合には、側方吸込みノズル部１３２、１３４は、本体１２０と並んで前面が直線状をなし、本発明による真空掃除機の吸込みノズル部が、隅部を形成する壁体Ｗに当接すると、本体１２０を中心に両側面に取り付けられた側方吸込みノズル部１３２、１３４が後方に折り曲げられ、最終に、図８（ＩＩＩ）に示すような状態になり、隅部の異物質を円滑に吸い込み可能となる。
【００３７】
次に、本第２の実施形態に従う本体１２０及び側方吸込みノズル部１３２、１３４の構成について、より詳細に説明する。
図９を参照して、延長管１１０と連結される本体１２０は、ベース１２４と、該ベース１２４の上方に取り付けられるカバー１２２（図１１参照）とから構成される。また、ベース１２４とカバー１２２間には、空気の流動通路が設けられており、該通路は、延長管１１０と連通されている。さらに、側方吸込みノズル部１３２、１３４は、図９、１０に示すように、本体１２０に回動自在に取り付けられる。
【００３８】
また、側方吸込みノズル部１３２、１３４の下側面には、異物質を含む空気を吸い込むことができるように凹状に形成された吸込み通路１３２ａ、１３４ａが、横方向に設けられている。これら吸込み通路１３２ａ、１３４ａを通して異物質を含む空気が吸い込まれ、このように吸い込まれた空気は、吸込みノズルを通して延長管１０に流入した後、真空掃除機本体の内部に流入される。
【００３９】
そして、側方吸込みノズル部には、内側（本体側）に延設された結合部１３２ｂ、１３４ｂが設けられており、側方吸込みノズル１３２、１３４は、結合部１３２ｂ、１３４ｂを介して本体１２０のベース１２４に回動自在に取り付けられる。例えば、結合部１３２ｂ、１３４ｂの中心に形成された孔１３２ｃ、１３４ｃが、本体１２０のベース１２４での対応位置に形成された孔１２４ａと合致する位置に整えた後、図１１に示すように、本体１２０のカバー１２２の底面から下方に突出するヒンジ突起１２２ａが孔１２４ａ、１３２ｃを挿通するように組付けられ、カバー１２２とベース１２４とが取り付けられる。これにより、前記一対の側方吸込みノズル部１３２、１３４は、本体１２０に対し回動自在に取り付けられる。
【００４０】
図９、１０に示すように、一方の側方吸込みノズル部１３２の結合部１３２ｂの下端部前方には、突起１３２ｄが形成されており、図示の実施例において、結合部１３２ｂの後方には下方に延設された延長部１３２ｅが設けられるが、該延長部１３２ｅにより実質的に突起１３２ｄとの間には、一定の間隔１３２ｆが形成される。また、延長部１３２ｅは、実質的に、突起１３２ｄと同様に、結合部１３２ｂの下方に一定の間隔だけ形成されている。
【００４１】
さらに、他方の側方吸込みノズル部１３４の結合部１３４ｂの下端部前方には、突起１３４ｄが形成されており、かつ、結合部１３４ｂの後方には下方に延設された延長部１３４ｅがれ設けられるが、該延長部１３４ｅにより実質的に突起１３４ｄとの間には、一定の間隔１３４ｆが形成される。また、延長部１３４ｅは、実質的に、突起１３４ｄと同様に結合部１３４ｂの下方に一定の間隔だけ形成されている。
【００４２】
本発明によると、側方吸込みノズル部１３２、１３４の内側面１３２ｇ、１３４ｇは、本体のベース１２４の両側の外側面１２４ｄ、１２４ｄ′と対応形状になるように成形される。
【００４３】
これにより、図１０に示すように、側方吸込みノズル部１３２、１３４の前面が直線状をなす通常の状態では、側方吸込みノズル部１３２、１３４の内側面１３２ｇ、１３４ｇと、ベース１２４の外側面１２４ｄ、１２４ｄ′とがお互いに密着状態となり、側方吸込みノズル部１３２、１３４がそれ以上前方に回動せず、前面が直線状に保持される。
【００４４】
また、図示したように、本体１２０のベース１２４の前端部１２４ｂは、約９０°の角度をなし、三角形状に設けられている。よって、側方吸込みノズル部１３２、１３４が、図８に示すように、壁体の隅部で後方に折り曲げられると、本体１２０の前端部１２４ｂが隅部に密着し、その当たりの異物質を吸い込むことができるようになる。
【００４５】
図９、１０に示すように、本体１２０のベース１２４の上面中心には、一つのボス１２６が上方に突出しており、ボス１２６には、スプリング１２７が挿設されているが、該スプリング１２７は、ボス１２６に挿設できるように数回巻回された円形本体部１２７ｂと、該本体部１２７ｂから前方に突出する両端部１２７ａとから構成されている。
【００４６】
さらに、スプリング１２７から前方に突出し各端部の間に一定の間隔を有する一対の両端部１２７ａは、ベース１２４から上方に突出する間隔保持突起１２８により介在された状態となり、一定の間隔が保持される。このようなスプリング１２７の両端部１２７ａは、お互いに密着しようとする弾性復元力を有し、間隔保持突起１２８の左右側面に両端部１２７ａが設けられており、該両端部１２７ａ間には、一定の間隔が保持される。
【００４７】
間隔保持突起１２８により保持されるスプリング１２７の両端部１２７ａの間には、側方吸込みノズル部１３２、１３４の結合部１３２ｂ、１３４ｂから下方に突出する突起１３２ｄ、１３４ｄが嵌合される。すなわち、一方の側方吸込みノズル部１３２が本体１２０のベース１２４に嵌入されると、結合部１３２ｂの前方から下方に形成された突起１３２ｄがスプリング１２７の両端部１２７ａ間に嵌入されて組みつけられる。
【００４８】
さらに、側方吸込みノズル部１３２の上面には、円弧状の結合孔１２９が形成されており、また、他方の側方吸込みノズル部１３２の結合部１３４ｂの底面には、下方向きに突出し結合孔１２９に嵌入される突起１３４ｄが設けられている。かつ、他方の側方吸込みノズル部１３４の結合部１３４ｂは、一方の側方吸込みノズル部１３２の結合部１３２ｂの上方で取り付けられる。従って、他方の側方吸込みノズル部１３４の結合部１３４ｂが、一方の側方吸込みノズル部１３２の結合部１３２ｂの上方に載せられると、側方吸込みノズル部１３４の下方向きの突起１３４ｄは、円弧状の結合孔１２９に嵌入される。このように突起１３４ｄが結合孔１２９に嵌入された状態で、その下端部は、スプリング１２７の両端部１２７ａ間に位置する。
【００４９】
このように、両方の側方吸込みノズル部１３２、１３４の結合部１３２ｂ、１３４ｂの各突起１３２ｄ、１３４ｄが、スプリング１２７の両端部１２７ａの間に嵌入した状態で、カバー１２２をベース１２４の上方に嵌合すると、側方吸込みノズル部１３２、１３４は、本体１２０に対し回動可能な状態となる。また、側方吸込みノズル部１３２、１３４は、図１０に示すように、その内側面が本体の外側面１２４ｄ、１２４ｄ′に取り付けられるように相互に対応形状となっており、このような状態では、側方吸込みノズル部１３２、１３４は、それ以上前方に折り曲げられず、前面が直線状を保持するようになる。
【００５０】
そして、ベース１２４の底面には、吸込み孔１２４ｅが形成されており、該吸込み孔１２４ｅは、部屋の床などに存在する異物質を含む空気を吸い込むための孔である。また、吸込み孔１２４ｅは、側方吸込みノズル部１３２、１３４の底面の吸込み通路１３２ａ、１３４ａと連通するように設けられている。すなわち、側方吸込みノズル部１３２、１３４の底面に横方向に設けられた吸込み通路１３２ａ、１３４ａは、吸込み孔１２４ｅと側面で連通するように設けることにより、側方吸込みノズル部１３２、１３４の吸込み通路１３２ａ、１３４ａを通して流入される空気が、吸込み孔１２４ｅから吸い込まれる空気と共に、上述の延長管１１０に吸い込まれるようになる。
【００５１】
本実施形態による吸込みノズルの組み立て全過程を簡単に説明する。
先ず、本体１２０のベース１２４の上方両側に、側方吸込みノズル部１３２、１３４が載置され、次に、上述のように、側方吸込みノズル部１３２、１３４の結合部１３２ｂ、１３４ｂの中心に形成された孔１３２ｃ、１３４ｃが、本体１２０のベース１２４での対応位置に形成された孔１２４ａに合致するように整える。次に、図１１に示すように、カバー１２２の底面から下方に突出するヒンジ突起１２２ａが孔１２４ａ、１３２ｃを挿通した状態で、カバー１２２をベース１２４に取り付ける。また、カバー１２２とベース１２４との取付け時には、別途のねじを用いるか、あるいはカバーとベースとの自体構造により弾性的に組付けるように構成することも可能である。
【００５２】
次に、以上の構成となる本実施形態に従う真空掃除機用吸込みノズルの全体動作について、図面を参照して説明する。
図８において、状態（Ｉ）は、吸込みノズルの前面が直線状をなしている状態であり、これは、一般の部屋の床などを掃除するための構成である。図８の状態（ＩＩ）及び状態（ＩＩＩ）は、吸込みノズルが壁面Ｗの隅部に接触しながら側方吸込みノズル部１３２、１３４が壁面Ｗにより後方に折り曲げられる状態を順次示している。
【００５３】
例えば、図１０の矢印のＡ方向に一方の側方吸込みノズル部１３２が回動すると、該側方吸込みノズル部１３２の結合部１３２ｂの下方に突出する突起１３２ｄが、スプリング１２７の端部１２７ａのうち、より外側に位置する端部を一層外側に向けて押付けるようになる。すなわち、図１０の矢印ａに示すように、突起１３２ｄがスプリング１２７の外側端部１２７ａを時計方向に回動させるようになり、さらに、他方の側方吸込みノズル部１３４も後方に折り曲げられるが、これは、一方の側方吸込みノズル部１３２とは反対方向に回動して折り曲げられ、スプリング１２７との関係における連結動作は、同様な原理に基づく。
【００５４】
また、一方の側方吸込みノズル部１３２が本体２４を中心に時計方向に、かつ、他方の側方吸込みノズル部１３４が反時計方向に、それぞれ後方に折り曲げられて、両方の側方吸込みノズル部１３２、１３４がほぼ９０°の角度をなすと（図４の状態（ＩＩＩ））、本体１２０の前端部が壁面Ｗの隅部に完全に密着し、壁面Ｗの隅部付近の異物質をより円滑に吸い込み可能となる。
【００５５】
ここで、側方吸込みノズル部１３２、１３４が後方に回動すると、側方吸込みノズル部１３２、１３４の結合部１３２ｂ、１３４ｂの下方に設けられた延長部１３２ｅ、１３４ｅ（図９参照）がスプリング１２７の端部１２７ａの外側に接触して、回動を規制できるようになる。すなわち、延長部１３２ｅ、１３４ｅがスプリング１２７の端部１２７ａの外側に接触したり、ベース１２４から上方に突出した他の部分に接触したりすることにより、側方吸込みノズル部１３２がそれ以上回動できないような構成となる。
【００５６】
このように、壁面Ｗの隅部に密着された状態で異物質を含む空気を吸い込むようになり、本体１２０のベース１２４の吸込み孔１２４ｅを通して吸込まれた空気は、上方に取り付けられたカバー１２２との間に設けられている空間を通して延長管１１０に流入される。
【００５７】
そして、本発明による吸込みノズルを壁面Ｗの隅部から離すと、スプリング１２７の弾性復元力により、両側の側方吸込みノズル部１３２、１３４は、再び、図４の状態（Ｉ）となる。すなわち、スプリング１２７の外側端部１２７ａは、常に元の状態に復元しようとする反時計方向の弾性力を有し、この弾性復元力は、突起１３２ｄ、１３４ｄを図１０に示す元の状態（側方吸込みノズル部の前面が直線をなす状態）に常に押圧している。これにより、側方吸込みノズル部１３２、１３４が壁面Ｗから離隔されると、上述の弾性復元力によって側方吸込みノズル部１３２、１３４は、前面が直線状をなす状態（Ｉ）となる。
【００５８】
以上のような本発明による真空掃除機の吸込みノズルでは、一対の側方吸込みノズル部が本体に対し回動自在に設けられ、壁面Ｗの隅部もきれいに掃除できるように構成することを基本的な技術的思想としていることが分かる。
【００５９】
このような本発明の基本的な技術的思想を逸脱しない範囲内で、当業界の通常の知識を有する者には他の多くの変更が可能であろう。また、本発明は、添付の特許請求の範囲により解釈されるべきであることは言うまでもない。
【００６０】
【発明の効果】
以上のように、本発明の真空掃除機用吸込みノズルによれば、一般の部屋の床面は勿論のこと、壁面により形成されるおよそ直角の隅部もより効率良く掃除できる。さらに、隅部の掃除を完了し、吸込みノズルを隅部の壁面Ｗから離すと、スプリングの弾性復元力により、吸込みノズルが自ら元の状態に復帰することになり、使用上の便利性も期待することができる。
【図面の簡単な説明】
【図１】一般的な真空掃除機の斜視図である
【図２】本発明の第１の実施形態による真空掃除機の吸込みノズルの斜視図である。
【図３】本発明の第１の実施形態による真空掃除機の吸込みノズルの斜視図である。
【図４】本発明の第１の実施形態による真空掃除機の吸込みノズルの使用状態を示す平面図である。
【図５】本発明の第１の実施形態による真空掃除機の吸込みノズルの内部を示す分解斜視図である。
【図６】本発明の第１の実施形態による真空掃除機の吸込みノズルの内部を示す部分平面図である。
【図７】本発明の第１の実施形態による真空掃除機の吸込みノズルカバーの底面斜視図である。
【図８】本発明の第２の実施形態による真空掃除機の吸込みノズルの使用状態を示す平面図である。
【図９】本発明の第２の実施形態による真空掃除機の吸込みノズルの分解斜視図である。
【図１０】本発明の第２の実施形態による真空掃除機の吸込みノズルの内部を示す平面図である。
【図１１】本発明の第２の実施形態による真空掃除機の吸込みノズルカバーの底面斜視図である。
【符号の説明】
１０…延長管
２０…本体
２２…カバー
２２ａ…ヒンジ突起
２４…ベース
２４ａ…孔
２６ａ…ボス
２６ｂ…ボス
２７…スプリング
２８…間隔保持突起
３２…側方吸込みノズル部
３２ａ…吸込み通路
３２ｂ…結合部
３２ｃ…孔
３２ｄ…突起
３４…側方吸込みノズル部
【図１】
2004008790.tif 000003
【図２】
2004008790.tif 000004
【図３】
2004008790.tif 000005
【図４】
2004008790.tif 000006
【図５】
2004008790.tif 000007
【図６】
2004008790.tif 000008
【図７】
2004008790.tif 000009
【図８】
2004008790.tif 000010
【図９】
2004008790.tif 000011
【図１０】
2004008790.tif 000012
【図１１】
2004008790.tif 000013